(57)【要約】      （修正有）【課題】玄関子機と居室親機間のラインが長距離となっても、玄関子機カメラにて撮像された映像信号を補正し、劣化のない映像を表示することができるインターホンシステムを提供する。【解決手段】門扉、または玄関に設置された玄関子機と、玄関子機からの呼出音に対して応答／通話を行う居室親機で構成されるインターホンシステムにおいて、玄関子機には、玄関子機周辺を撮像するカメラと、カメラで撮像された映像信号を変調する子機ＦＭ変調部と、子機ＦＭ変調部で変調されたＦＭ変調信号の高周波帯域を増幅する子機ＦＭ高域強調部と、居室親機には、送信されてきたＦＭ変調信号を０Vと交差させると共に、一定の振幅値とする親機ＦＭ波形整形部と、親機ＦＭ波形整形部で波形整形された波形整形ＦＭ変調信号を復調する親機ＦＭ復調部と、復調された映像を出画するモニタを備える。【選択図】図１
2011176779.tif 000002
【特許請求の範囲】
【請求項１】
門扉、または玄関に設置された玄関子機（１）と、前記玄関子機からの呼出音に対して応答／通話を行う居室親機（２）で構成されるインターホンシステムにおいて、
前記玄関子機には、前記玄関子機周辺を撮像するカメラ（１０１）と、前記カメラで撮像された映像信号を変調する子機ＦＭ変調部（１０６）と、前記子機ＦＭ変調部で変調されたＦＭ変調信号の高周波帯域を増幅する子機ＦＭ高域強調部（１０７）と、
前記居室親機には、送信されてきたＦＭ変調信号を０Vと交差させると共に、一定の振幅値とする親機ＦＭ波形整形部（２０８）と、前記親機ＦＭ波形整形部で波形整形されたＦＭ変調信号を復調する親機ＦＭ復調部（２０６）と、前記復調された映像を出画するモニタ（２０１）を備えたことを特徴とするインターホンシステム。
【請求項２】
複数の前記玄関子機と複数の前記居室親機の間に接続されると共に、前記玄関子機からの操作によって、複数の前記居室親機のうち特定の前記居室親機を呼び出すための交換制御を行う制御機（３）を備え、
前記制御機には、送信されてきたＦＭ変調信号を０Vと交差させると共に、一定の振幅値とする制御機ＦＭ波形整形部（３０２）と、前記制御機ＦＭ波形整形部で波形整形されたＦＭ変調信号の高周波帯域を増幅する制御機ＦＭ高域強調部（３０４）とを備えたことを特徴とする請求項１記載のインターホンシステム。
【発明の詳細な説明】
【技術分野】
【０００１】
本発明はインターホンシステムに係わり、玄関子機と居室親機間のラインが長距離となっても、玄関子機カメラにて撮像された映像信号を補正し、劣化のない映像を表示することができるインターホンシステムに関する。
【背景技術】
【０００２】
従来から、玄関子機で撮像した映像を居室親機で表示するシステムが知られており、中でも、玄関子機と居室親機間のラインによって映像信号が減衰しても、視認性を保つことができるよう、様々な工夫が成されてきた。例えば、特許文献１には、集合住宅システムにおいて、ラインの距離から減衰量を判定し、ラインによる減衰分を補正することによって、映像の視認性を高める技術が記載されている。具体的には、玄関子機と制御機間、制御機間と親機間に直流電圧を印加させて電圧降下からラインの距離を判定する。その後、玄関子機のカメラで撮像された映像信号をベースバンドで送信し、受信側ではラインの距離に応じたレベル補償を行っていた。これによって、ラインが長距離でも画像の劣化のない視認性の優れた良好な映像として居室親機のモニタに表示させることができた。
【先行技術文献】
【特許文献】
【０００３】
【特許文献１】特開２００７−２０８５３５
【発明の開示】
【発明が解決しようとする課題】
【０００４】
しかしながら、従来のインターホンシステムは、直流から４．２ＭＨｚの広帯域のベースバンド映像信号のレベル補正を行って、ラインの長距離化を行っていた。しかし、広帯域の信号のレベル補正を行う場合には、広帯域信号波形が歪まないように広範囲の高周波帯域の増幅率を高く設計しなければならないが、設計が困難であった。
【０００５】
本発明はこのような問題点に鑑み、玄関子機と居室親機間の伝送をベースバンド伝送でなくＦＭ変調方式とすることで、ラインによる高周波帯域の減衰補正を容易に行うことができ、映像の劣化のない視認性の優れた映像を居室親機に表示することができるインターホンシステムを提供する。
【課題を解決するための手段】
【０００６】
上記課題を解決するために、請求項１に記載の発明は、門扉、または玄関に設置された玄関子機と、玄関子機からの呼出音に対して応答／通話を行う居室親機で構成されるインターホンシステムにおいて、玄関子機には、玄関子機周辺を撮像するカメラと、カメラで撮像された映像信号を変調する子機ＦＭ変調部と、子機ＦＭ変調部で変調されたＦＭ変調信号の高周波帯域を強調する子機ＦＭ高域強調部と、居室親機には、送信されてきたＦＭ変調信号を０Vと交差させると共に、一定の振幅値とする親機ＦＭ波形整形部と、親機ＦＭ波形整形部で波形整形されたＦＭ変調信号を復調する親機ＦＭ復調部と、復調された映像を出画するモニタを備えたことを特徴とする。
【０００７】
また、請求項２の発明は、複数の玄関子機と複数の居室親機の間に接続されると共に、玄関子機からの操作によって、複数の居室親機のうち特定の居室親機を呼び出すための交換制御を行う制御機を備え、制御機には、送信されてきたＦＭ変調信号を０Vと交差させると共に、一定の振幅値とする制御機ＦＭ波形整形部と、制御機ＦＭ波形整形部で波形整形されたＦＭ変調信号の高周波帯域を強調する制御機ＦＭ高域強調部とを備えたことを特徴とする。
【発明の効果】
【０００８】
請求項１の発明によれば、戸建インターホンシステムにおいて、ラインが長距離でも、玄関子機で撮像した映像を劣化なく居室親機に表示することができる。
請求項２の発明よれば、集合住宅インターホンシステムにおいて、ラインが長距離でも、玄関子機で撮像した映像を劣化なく居室親機に表示することができる。
【図面の簡単な説明】
【０００９】
【図１】本発明に係る第１の実施例のインターホン装置のブロック図である。
【図２】本発明に係る映像信号の波形と周波数特性の具体的な例のグラフである。
【図３】本発明に係る第２の実施例のインターホン装置のブロック図である。
【発明を実施するための形態】
【００１０】
以下、本発明のインターホンシステムを好ましい第１の実施例の形態について図面を参照して説明する。図１は、本発明の第１のインターホンシステムのブロック構成図、図２は本発明の具体的な映像信号と周波数特性の例のグラフである。
【００１１】
図１のブロック図は、戸建インターホンシステムの形態に対応しており、来訪者が居住者を呼び出すための玄関子機１と、呼び出しに対して居住者が応答するための居室親機２とで構成されている。
玄関子機１には、来訪者が居住者を呼び出すための呼出釦１０２と、居室親機２と通話を行うための子機マイク１０３、子機スピーカ１０４、子機通話部１０５と、来訪者を撮像し映像信号を出力するカメラ１０１と、カメラ１０１の映像信号をＦＭ変調する子機ＦＭ変調部１０６と、子機ＦＭ変調部１０６で変調されたＦＭ変調信号S1の高周波帯域を強調する子機ＦＭ高域強調部１０７と、玄関子機１を制御する子機ＣＰＵ１０８と、居室親機２と通信するための子機Ｉ／Ｆ１０９で構成されている。
居室親機２には、呼出釦１０２が押下されて居室親機１が呼び出されたときに応答操作を行うための通話釦２０２と、玄関子機１と通話を行うための親機マイク２０３、親機スピーカ２０４、親機通話部２０５と、玄関子機１から送信されてきたＦＭ変調信号S3を０Vと交差させると共に、一定の振幅値とする親機ＦＭ波形整形部２０８と、親機ＦＭ波形整形部２０８で波形整形されたＦＭ変調信号S4の高調波成分を除去する親機ローパスフィルタ２０７と、親機ローパスフィルタ２０７から出力されたＦＭ変調信号S5を復調する親機ＦＭ復調部２０６と、居室親機２を制御する親機ＣＰＵ２０７と、玄関子機１と通信する親機Ｉ／Ｆ２１０で構成されている。
【００１２】
このようなシステムにおいて、以下、動作の説明を行う。尚、玄関子機からの一般的な呼び出し及び居室親機の応答動作の説明は本発明の要部ではないので省略し、カメラで撮像した映像信号がラインによって減衰したとき、映像信号を補正する動作の説明を行う。
【００１３】
来訪者が呼出釦１０２を押下すると、カメラ１０１が駆動され映像信号が子機ＦＭ変調部１０６に送信される。受信した子機ＦＭ変調部１０６は映像信号を、例えば図面２（ａ）のようなＦＭ変調信号S1に変調する。その後、ＦＭ変調信号S1は、周波数特性の子機ＦＭ高域強調部１０７によって高周波帯域の信号が強調され、図２（ｃ）のようなＦＭ変調信号S2が居室親機２に送信される。このときの周波数特性は図２（ｄ）のようになる。ＦＭ変調信号S2がラインＬを経由して居室親機２に送信されると、ラインＬの周波数特性の影響によって高周波帯域が減衰される。図２（ｆ）はラインＬの減衰特性の一例を示しており、ライン距離が100m、200m、300mと長くなると減衰率が大きくなる。そのため、ラインの距離が300mの場合だと、図２（ｅ）のように高周波帯域が減衰したＦＭ変調信号S3が居室親機２に伝送されることとなる。このＦＭ変調信号S3を受信した親機ＦＭ波形整形部２０８は、図２（ｇ）のような波形整形を行い、親機ローパスフィルタ２０７に出力する。具体的な例として、コンパレータ（不図示）のプラス端子にＦＭ変調信号S3、マイナス端子に０Vを入力させることによって、方形波のＦＭ変調信号S5が出力される。その後、親機ローパスフィルタ２０７では、波形整形されたＦＭ変調信号S4の高調波成分を除去すると、親機ＦＭ復調部２０６でＦＭ復調信号S4を復調し、モニタ２０１に映像を表示させる。
尚、ＦＭ変調信号S3がラインＬの影響により減衰しても、０Vで交差できるように子機ＦＭ高域強調部１０７の増幅度を設計しなければならない。
したがって、ＦＭ変調方式によるラインの長距離設計を行う上で、波形の歪みを考慮する必要がなく、ＦＭ信号波形S3が０Vを交差させるよう子機ＦＭ高域強調部１０７の増幅度を設計することのみ考慮すれば良いため、設計を容易に行うことができる。
【００１４】
以下、本発明のインターホンシステムを好ましい第２の実施例の形態について図面を参照して説明する。図３は、本発明の第２のインターホンシステムのブロック構成図である。
【００１５】
図３のブロック図は、集合住宅インターホンシステムの形態に対応しており、来訪者が居住者を呼び出すための複数の玄関子機１、１、・・・と、呼び出しに対して居住者が応答するための居室親機２、２、・・・と、玄関子機１、１、・・・、居室親機２、２、・・・を制御する制御機３で構成されている。第２の実施例の集合玄関１、１、・・・、居室親機２、２、・・・は第１の実施例の玄関子機１、居室親機２と同じブロック構成であるため説明を省略する。
制御機３は、玄関子機１、１、・・・と居室親機２、２、・・・の通話路の交換制御を行う通話制御部３０１と、玄関子機１、１、・・・から送信されてきたＦＭ変調信号を０Vと交差させると共に、一定の振幅値とする制御機ＦＭ波形整形部３０２と、制御機ＦＭ波形整形部３０２で波形整形されたＦＭ変調信号S6の高調波成分を除去する制御機ローパスフィル３０３と、制御機ローパスフィルタ３０３から出力されたＦＭ変調信号S7の高周波帯域を強調する制御機ＦＭ高域強調部３０４と、制御機３を制御する制御機ＣＰＵ３０５と、玄関子機１、１、・・・と通信する制御機子機側Ｉ／Ｆ３０６と、居室親機２、２、・・・と通信する制御機親機側Ｉ／Ｆ３０７で構成されている。
【００１６】
このようなシステムにおいて、以下、動作の説明を行う。また、第１の実施例と同様、カメラ１０１で撮像した映像信号がラインＬによって減衰しても劣化しない映像をモニタ２０１に表示させる動作説明を行う。
【００１７】
第２の実施例は、第１の実施例の玄関子機１と居室親機２の間に設置され、玄関子機１からの操作によって、特定の居室親機２を呼び出すための交換制御を行う制御機３が備えられている。第１の実施例との違いは、子機FM高域強調部１０７から送信されたＦＭ変調信号S2が制御機３に出力され、制御機３から出力されたＦＭ変調信号S8は親機FM波形整形部２０８で受信する点である。
子機FM高域強調部１０７からの高域強調ＦＭ変調信号S2は、第一の実施例でも述べたように、ラインＬａの影響によって高周波帯域が減衰し、図２（ｅ）のようなＦＭ変調信号S5となる。これを受信した制御機ＦＭ波形整形部３０２は、図２（ｇ）のような波形整形を行い、制御機ローパスフィルタ３０３にて、波形整形されたＦＭ変調信号S6の高調波成分を除去する。その後、ＦＭ変調信号S7は、制御機ＦＭ高域強調部３０４によって高周波帯域の信号が強調され、図２（ｃ）のようなＦＭ変調信号S8がラインＬｂを介して居室親機２に送信される。
上記のような動作を行うことによって、戸建インターホンシステムと同様に、集合住宅インターホンシステムにおいても、ラインの長距離化を容易に行うことができる。
【符号の説明】
【００１８】
１・・・                      玄関機
１０１・・・                         カメラ
１０６・・・                         子機ＦＭ変調部
１０７・・・                         子機ＦＭ高域強調部
２・・・                      玄関子機
２０１・・・                         モニタ
２０６・・・                         親機ＦＭ復調部
２０８・・・                         親機波形整形部
【図１】
2011176779.tif 000003
【図２】
2011176779.tif 000004
【図３】
2011176779.tif 000005